(57)【特許請求の範囲】
【請求項１】
一端に開口を有している口金と、
前記一端に取り付けられている中空バルブと、
前記口金から前記中空バルブ内に延伸するように、前記口金の前記開口に取り付けられている放熱手段と、
前記放熱手段に取り付けられている発光手段と、
を備え、
前記中空バルブに、該中空バルブの内部を外部と連通させるための通気孔が少なくとも１つ形成され、
前記放熱手段は、アルミニウム板をインパクト加工により作成された管状体であり、
前記放熱手段は、外周面が前記口金と接触している取付部と、前記取付部から前記中空バルブ内に延伸している延伸部とを有し、
前記取付部は、酸化アルミニウムからなったものであり、
前記発光手段は、前記延伸部の先端に取り付けられているプリント基板と、前記プリント基板の表面に取り付けられている発光ダイオードモジュールとを備え、
前記プリント基板は、フレキシブルプリント基板であり、前記延伸部の先端から延伸しながら横断面が段々縮小する截頭錐面状になるように配置構成されており、
前記発光ダイオードモジュールを複数備えており、前記プリント基板の先端面に少なくとも一つの前記発光ダイオードモジュールが取り付けられており、
前記発光手段は発光量制御ユニットを更に備えており、
前記発光量制御ユニットは、前記延伸部の管内に該延伸部と電気的絶縁に取り付けられている上、前記プリント基板の先端面に取り付けられている発光ダイオードモジュールの発光量を他の前記発光ダイオードモジュールの発光量より高くなるように制御する構成になっていることを特徴とする電球式照明装置。
【発明の詳細な説明】
【技術分野】
【０００１】
本発明は電球式照明装置に関し、特に、放熱機能が向上した電球式照明装置に関する。
【背景技術】
【０００２】
従来の電球式照明装置は、例えば特許文献１に記載されているものがある。該従来の電球式照明装置は、図４に示されているように、十字形断面を有する回路基板７０の表面に複数の発光ダイオードモジュール７１が取り付けられている。バルブ７２内に伝熱性が比較的に良い気体、例えば窒素とアルゴンの混合気体が充填されている。
【０００３】
上記従来の電球式照明装置は、発光ダイオードモジュール７１から発生する熱を抑えるが、放熱手段としては熱を発光ダイオードモジュール７１からバルブ７２に伝える混合気体しか備えていない。特許文献１では窒素３０％とアルゴン７０％との混合比例では伝熱速度が比較的に速いと説明するが、結局気体による伝熱速度は遅く、そして熱がガラス製のバルブ７２に溜まりやすいので、使用者がバルブ７２を触ると火傷する可能性もある。
【０００４】
また、上記従来の電球式照明装置は十字形断面を有する回路基板７０に複数の発光ダイオードモジュール７１が取り付けられているので、発光ダイオードモジュール７１から発せられる光の一部は回路基板７０により遮断されるので、照明効果を十分に発揮することができない。
【０００５】
ちなみに、放熱座を口金と一体的に形成する電球式照明装置も存在するが、このタイプの電球式照明装置は、放熱座の温度が高い上、放熱座が口金と一体的に形成されているため、使用者が放熱座を触ると感電する恐れもある。
【先行技術文献】
【特許文献】
【０００６】
【特許文献１】台湾実用新案第Ｍ３８３６７３号明細書
【発明の概要】
【発明が解決しようとする課題】
【０００７】
上記問題点に鑑みて、本発明は放熱機能が向上し、且つ使用者が感電する恐れのない電球式照明装置の提供を目的とする。
【課題を解決するための手段】
【０００８】
上記目的を達成すべく、本発明は、一端に開口を有している口金と、前記一端に取り付けられている中空バルブと、前記口金から前記中空バルブ内に延伸するように、前記口金の前記開口に取り付けられている放熱手段と、前記放熱手段に取り付けられている発光手段とを備えていることを特徴とする電球式照明装置を提供する。
【０００９】
上記電球式照明装置において、前記中空バルブに、該中空バルブの内部を外部と連通させるための通気孔が少なくとも１つ形成されていることが好ましい。
【００１０】
上記電球式照明装置において、前記放熱手段は、アルミニウム板をインパクト加工により作成された管状体であることが好ましい。
【００１１】
上記電球式照明装置において、前記放熱手段は、外周面が前記口金と接触している取付部と、前記取付部から前記中空バルブ内に延伸している延伸部とを有し、前記取付部は、酸化アルミニウムからなることが好ましい。
【００１２】
上記電球式照明装置において、前記発光手段は、前記延伸部の先端に取り付けられているプリント基板と、前記プリント基板の表面に取り付けられている発光ダイオードモジュールとを備えるように構成されることができる。
【００１３】
上記電球式照明装置において、前記プリント基板は、フレキシブルプリント基板であり、前記延伸部の先端から延伸しながら横断面が段々縮小する截頭錐面状になるように配置構成されており、前記発光ダイオードモジュールを複数備えており、前記プリント基板の先端面に少なくとも一つの前記発光ダイオードモジュールが取り付けられていることが好ましい。
【００１４】
上記電球式照明装置において、前記発光手段は、発光量制御ユニットを更に備えており、前記発光量制御ユニットは、前記延伸部の管内に該延伸部と電気的絶縁に取り付けられている上、前記プリント基板の先端面に取り付けられている発光ダイオードモジュールの発光量を他の前記発光ダイオードモジュールの発光量より高くなるように制御する構成になっていることが好ましい。
【発明の効果】
【００１５】
上記構成により、本発明は発光手段の発光と共に生じる熱を口金に取り付けられている放熱手段及び口金を経由して外部に伝熱することができる。
【００１６】
また、放熱手段の口金と接触している取付部は酸化アルミニウムにより形成されるので、使用者が放熱手段を触っても感電する恐れはない。
【００１７】
更に、本発明における発光手段は、発する光が回路基板に遮断されにくい位置に配置されている。特に、截頭錐面状に構成されているフレキシブルプリント基板の先端面に取り付けられている発光ダイオードモジュールの発光量を他の前記発光ダイオードモジュールの発光量より高くなるように制御する構成により、使用電力を効率的に配分することができる。
【図面の簡単な説明】
【００１８】
【図１】本発明の電球式照明装置の第１の実施形態の分解図である。
【図２】本発明の電球式照明装置の第１の実施形態の斜視図である。
【図３】本発明の電球式照明装置の第２の実施形態の一部拡大断面図である。
【図４】従来例の電球式照明装置の斜視図である。
【発明を実施するための形態】
【００１９】
図１と図２では本発明の電球式照明装置の第１の実施形態の構成が示されている。
【００２０】
図示のように、本発明の電球式照明装置は、一端に開口１１を有している口金１と、前記一端に取り付けられている中空バルブ２と、口金１から中空バルブ２内に延伸するように、口金１の開口１１に挿し込むように取り付けられている放熱手段３と、放熱手段３に取り付けられている発光手段４とを備えている。
【００２１】
中空バルブ２は、大径部２１と、小径部２２と、大径部２１と小径部２２との間に形成されている縮径部２３とを有し、小径部２２の端部に口金１と接続される開口が開けられている。
【００２２】
更に、中空バルブ自体の排熱を図るために、中空バルブ２に中空バルブ２の内部を外部（即ち大気）と連通させるための第１と第２の通気孔２４１，２４２が開けられている。この実施形態では図示のように、縮径部２３に複数形成されている第１の通気孔２４１と、大径部２１の端面２１０の中心に形成されている第２の通気孔２４２とを備えている。即ち、第１と第２の通気孔は、中空バルブ２の置かれる姿勢によって第１の通気孔２４１が第２の通気孔２４２より高くなると、第２の通気孔２４２が冷空気の入り口になり、第１の通気孔２４１が熱空気の出口になる。また、第１の通気孔２４１が第２の通気孔２４２より低くなると、第１の通気孔２４１が冷空気の入り口になり、第２の通気孔２４２が熱空気の出口になる。このように、本発明では空気の出入りがスムーズになる構成を備えている。
【００２３】
放熱手段３は、アルミニウム板をインパクト加工により管状体に作成されることが好ましい。アルミニウム板はインパクト加工の圧延により薄く形成されると共に、その表面にある微細な穴も大きく伸ばされるので、その放熱効果はアルミニウム合金やアルミ押し出し製品よりも２０％から４０％向上される。
【００２４】
放熱手段３は、外周面が口金１と接触している取付部３４と、取付部３４から中空バルブ２内に延伸している延伸部３２とを有し、取付部３４は、電気的絶縁効果のよい酸化アルミニウムを使用している。これにより口金１での電気は延伸部３２から遮断されるので、使用者が延伸部３２を触っても感電する恐れはなくなる。
【００２５】
発光手段４は、延伸部３２の先端に取り付けられているプリント基板４１と、プリント基板４１の表面に取り付けられている発光ダイオードモジュール４２とを備えている。
【００２６】
更に、放熱手段３の延伸部３２の管内に発光量制御ユニット５が電気的絶縁に取り付けられており、口金１からの電気は発光量制御ユニット５を経由してからプリント基板４１に送られるので、この発光量制御ユニット５でプリント基板４１の作動及び発光ダイオードモジュール４２の発光を制御することができる。延伸部３２と発光量制御ユニット５との電気的絶縁は、絶縁接着剤を使用することにより達成できる。
【００２７】
発光量制御ユニット５の機能については、この実施形態において発光量制御ユニット５は口金１から発光ダイオードモジュール４２に送られる電力を３Ｗ〜８Ｗの範囲内に設定して出力することができる。通常消費電力が５Ｗの発光ダイオードモジュールの発光量は、消費電力が６０Ｗの白熱電球に相当する。
【００２８】
上記構成により、本発明は発光手段４の発光と共に生じる熱を放熱手段３を経由してから口金１、そして外部に伝熱することができる。
【００２９】
放熱手段３の口金１と接触している取付部３４は酸化アルミニウムにより形成され、口金１と電気的に接続している発光量制御ユニット５も電気的絶縁に取り付けられているので、使用者が放熱手段３の延伸部３２を触っても感電する恐れはない。
【００３０】
更に、発光手段４の発光により加熱された中空バルブ２内の空気は第１と第２の通気孔２４１，２４２の一方を経由して逃され、そして外部にあった涼しい空気も第１と第２の通気孔２４１，２４２の他方を経由して中空バルブ２内に進入できるので、発光ダイオードモジュール４２に対する放熱効果が向上し、発光ダイオードモジュール４２を安定に作動できる温度に保つことができる。
【００３１】
図３では本発明の電球式照明装置の第２の実施形態の一部拡大断面図が示されている。図示のように、本発明の電球式照明装置の第２の実施形態は第１の実施形態の変化例であり、第１の実施形態と同じ構成になっている口金１及び中空バルブ２を使用しているので、この図３では省略されている。
【００３２】
本発明の電球式照明装置の第２の実施形態では、発光ダイオードモジュール４２を直接に制御する回路基板としてフレキシブルプリント基板６を使用している。
【００３３】
このフレキシブルプリント基板６は放熱手段３の延伸部３２の先端から延伸しながら、横断面が段々縮小する截頭錐面状になるように配置構成されており、外周面に複数の発光ダイオードモジュール４２が取り付けられ、そして先端面に１つの発光ダイオードモジュール４３が取り付けられている。
【００３４】
フレキシブルプリント基板６の先端面に取り付けられている発光ダイオードモジュール４３は、最も広い照明範囲を有しているので、発光量制御ユニット５の制御により、外周面に取り付けられている他の発光ダイオードモジュール４２より発光量が高くなるように制御されることで、消費電力を効率的に配分することができる。
【００３５】
例えば、フレキシブルプリント基板６の先端面に取り付けられている発光ダイオードモジュール４３に２Ｗの電力を供給し、他の発光ダイオードモジュール４２に合わせて２Ｗの電力を供給するように設定して制御することができる。
【産業上の利用可能性】
【００３６】
上記構成により、本発明は発光手段の発光と共に生じる熱を口金に取り付けられている放熱手段及び口金を経由して外部に伝熱することができる。
【００３７】
また、放熱手段の口金と接触している取付部は酸化アルミニウムにより形成されるので、使用者が放熱手段を触っても感電する恐れはない。
【００３８】
更に、本発明における発光手段は、発する光が回路基板に遮断されにくい位置に配置されている。特に、截頭錐面状に構成されているフレキシブルプリント基板の先端面に取り付けられている発光ダイオードモジュールの発光量を他の前記発光ダイオードモジュールの発光量より高くなるように制御する構成により、使用電力を効率的に配分することができる。
【００３９】
したがって、本発明の電球式照明装置は、例えば乗用車のランプから家庭用の照明器具まで、さまざまな照明手段に適用されることができる。
【符号の説明】
【００４０】
１    口金
２    中空バルブ
３    放熱手段
４    発光手段
５    発光量制御ユニット
６    フレキシブルプリント基板
１１    開口
２１    大径部
２２    小径部
２３    縮径部
３２    延伸部
３４    取付部
４１    プリント基板
４２    発光ダイオードモジュール
４３    発光ダイオードモジュール
７０    回路基板
７１    発光ダイオードモジュール
７２    バルブ
２４１    第１の通気孔
２４２    第２の通気孔
【図１】
0005307856.tif 000002
【図２】
0005307856.tif 000003
【図３】
0005307856.tif 000004
【図４】
0005307856.tif 000005